(57)【要約】【課題】  通話を行いながら必要な情報を通話相手方に便利に伝送できるデータ伝送および出力装置、並びにその方法を提供する。さらに、通話を行いながら、通話相手方が許容した範囲内で通話相手方端末機の諸元を遠隔制御できるデータ伝送および出力装置、並びにその方法を提供する。【解決手段】  通話チャネルを通して音声通話できる携帯端末機であって、通話中に入力されたキー信号に対応する低周波信号を発生するための信号発生部２０と、前記低周波信号と音声信号とを合成するための信号合成部３０と、前記合成信号を通話チャネルを通して無線送出するための無線通信部４０と、前記無線通信部４０で信号処理された受信信号から低周波信号を分離するための信号分離部５０と、分離された低周波信号の周波数を検出し、その検出周波数が指示するデータを出力するためのデータ出力部７０と、を含んで携帯端末機のデータ伝送および出力装置を構成する。【選択図】  図１
2006033817.tif 000002
【特許請求の範囲】
【請求項１】
通話チャネルを通して音声通話できる携帯端末機であって、
通話中に入力されたキー信号に対応する低周波信号を発生するための信号発生部と、
前記低周波信号と音声信号とを合成するための信号合成部と、
前記合成信号を通話チャネルを通して無線送出するための無線通信部と、
前記無線通信部で信号処理された受信信号から低周波信号を分離するための信号分離部と、
分離された低周波信号の周波数を検出し、その検出周波数が指示するデータを出力するためのデータ出力部と、を含むことを特徴とする携帯端末機のデータ伝送および出力装置。
【請求項２】
前記信号発生部は、
キー信号を発生するためのキーパッドと、
発生したキー信号に対応する低周波信号の発振を制御する低周波発振制御部と、
前記低周波発振制御部によって相異なる周波数を発振するための低周波信号発振部と、を含むことを特徴とする請求項１に記載の携帯端末機のデータ伝送および出力装置。
【請求項３】
前記低周波信号発振部は、３００Ｈｚ以下の低周波信号のみを発振することを特徴とする請求項２に記載の携帯端末機のデータ伝送および出力装置。
【請求項４】
前記データ出力部は、
分離された低周波信号の周波数を検出するための周波数検出部と、
低周波信号の各周波数が指示するデータを保存するためのメモリと、
前記検出された周波数が指示するデータを前記メモリから読み取って出力するためのデータ出力制御部と、を含むことを特徴とする請求項１または２に記載の携帯端末機のデータ伝送および出力装置。
【請求項５】
前記メモリに保存されるデータは、少なくとも文字データ、アバターイメージデータ、オーディオ出力データのうちいずれか一つ以上であることを特徴とする請求項４に記載の携帯端末機のデータ伝送および出力装置。
【請求項６】
前記データ出力制御部は、検出された発信者情報にマッピングされたアバターイメージデータを前記メモリから読み取って表示出力し、前記検出された周波数の指示にしたがって、その表示されたアバターイメージデータを可変することを特徴とする請求項４に記載の携帯端末機のデータ伝送および出力装置。
【請求項７】
前記信号分離部は、
前記受信信号から３００Ｈｚ以下の低周波信号を抽出するためのローパスフィルタであることを特徴とする請求項１に記載の携帯端末機のデータ伝送および出力装置。
【請求項８】
前記信号分離部は、
前記受信信号から３００Ｈｚ以上の音声信号のみを抽出するための第１フィルタと、
前記受信信号から３００Ｈｚ以下の低周波信号のみを抽出するための第２フィルタと、を含むことを特徴とする請求項１に記載の携帯端末機のデータ伝送および出力装置。
【請求項９】
通話チャネルを通して音声通話できる携帯端末機であって、
通話中に低周波信号を発生するためのキー入力があるかどうかを検査する段階と、
入力キー信号に対応する低周波信号を発生する段階と、
発生した低周波信号と音声信号とを合成して通話チャネルを通して無線送出する段階と、
無線通信部で信号処理された受信信号から低周波信号を分離する段階と、
分離された低周波信号の周波数を検出し、その検出周波数が指示するデータを出力する段階と、を含むことを特徴とする携帯端末機のデータ伝送および出力方法。
【請求項１０】
前記入力キー信号に対応する低周波信号が指示するデータを表示する段階をさらに含むことを特徴とする請求項９に記載の携帯端末機のデータ伝送および出力方法。
【請求項１１】
前記低周波信号は、３００Ｈｚ以下の周波数を有することを特徴とする請求項９または１０に記載の携帯端末機のデータ伝送および出力方法。
【請求項１２】
前記低周波信号の周波数によって出力されるデータは、少なくとも文字データ、アバターイメージデータおよびオーディオ出力データのうちいずれか一つであることを特徴とする請求項９または１０に記載の携帯端末機のデータ伝送および出力方法。
【請求項１３】
通話チャネルを通して音声通話できる携帯端末機であって、
発信者情報を検出する段階と、
検出された発信者情報にマッピングされたアバターイメージデータをメモリから読み取って表示する段階と、
通話中に無線通信部で信号処理された受信信号から低周波信号を分離する段階と、
分離された低周波信号の周波数を検出し、その検出された周波数が指示するデータによって前記表示されたアバターイメージデータを可変する段階と、を含むことを特徴とする携帯端末機のデータ伝送および出力装置。
【請求項１４】
通話中に低周波信号を発生するためのキー入力があるかどうかを検査する段階と、
入力キー信号に対応する低周波信号を発生する段階と、
発生した低周波信号と音声信号とを合成して通話チャネルを通して無線送出する段階と、をさらに含むことを特徴とする請求項１３に記載の携帯端末機のデータ伝送および出力装置。
【請求項１５】
前記入力キー信号に対応する低周波信号が指示するデータを表示する段階をさらに含むことを特徴とする請求項１４に記載の携帯端末機のデータ伝送および出力方法。
【発明の詳細な説明】
【技術分野】
【０００１】
本発明は、携帯端末機のデータ伝送に関するもので、詳しくは、通話チャネルを通してデータを伝送できる装置および方法に関するものである。
【背景技術】
【０００２】
最近、電子通信技術および半導体チップ製造技術の発達に伴い、携帯端末機のサイズが小さくなりつつある。この携帯端末機は、単純に通話をする目的で開発されたが、消費者の多様な要求に対応するために、電子手帳、カメラおよび音楽ファイル再生などの多様な付加機能が搭載されることになった。
【０００３】
一般に、上述した各付加機能は、互いに独立的に行われる。すなわち、携帯端末機の使用者は、電子手帳モードに進入することで、個人身の上情報を入力して登録し、カメラモードに進入することで、所定の被写体を撮影し、音楽ファイル再生モードに進入することで、音楽ファイルなどを再生して聴取することができる。
【０００４】
上述したように、携帯端末機に付加されたほとんどの機能は、独立したモードで行われるが、消費者は、通話を行いながら他の機能も同時に行うことを望んでいる。
【０００５】
例えば、通話中に通話相手方にインターネット接続情報(ＵＲＬ)を伝送するとき、現在としては音声で知らせるしかない。しかしながら、インターネット接続情報は、ほとんど英文字からなるため、発音あるいは聴取上の問題によって英文字が正確に伝達されない。これを解決するために、通話を行いながら入力文字も同時に伝送できる携帯端末機が開発されるべきである。
【０００６】
また、周辺状況によって文字伝送および音声通話を交差的に行うこともあるが、現在の携帯端末機としては、例示した二つの動作を通話モードで行えないため、これを解決するための装置あるいは方法の開発が要求される。
【発明の開示】
【発明が解決しようとする課題】
【０００７】
本発明は、上記の問題点を解決するためになされたもので、通話を行いながら必要な情報を通話相手方に便利に伝送できるデータ伝送および出力装置、並びにその方法を提供することを目的とする。
【０００８】
さらに、通話を行いながら、通話相手方が許容した範囲内で通話相手方の端末機の諸元を遠隔制御できるデータ伝送および出力装置、並びにその方法を提供することを目的とする。
【課題を解決するための手段】
【０００９】
上記の目的を達成するために、本発明の実施形態によるデータ伝送および出力装置は、通話中に入力されたキー信号に対応する低周波信号を発生するための信号発生部と、前記低周波信号と音声信号とを合成するための信号合成部と、前記合成信号を通話チャネルを通して無線送出するための無線通信部と、前記無線通信部で信号処理された受信信号から低周波信号を分離するための信号分離部と、分離された低周波信号の周波数を検出し、その検出周波数が指示するデータを出力するためのデータ出力部と、を含むことを特徴とする。
【発明の効果】
【００１０】
本発明は、通話中に入力されたキー信号に対応する低周波信号を発生し、音声信号と一緒に通話チャネルを通して通話相手方の端末機に伝送することで、通話を行いながら必要な情報を送受信できるという効果がある。
【００１１】
また、本発明は、通話相手方が許容した範囲内で通話相手方の端末機の諸元を遠隔制御できるという効果がある。
【００１２】
また、別途のサーバー支援がなくても、相手方の端末機に表示されるアバターイメージを遠隔制御する新しいコンテンツ概念を導入することで、携帯端末機の消費創出を誘導できるという効果がある。
【発明を実施するための最良の形態】
【００１３】
本発明の好ましい実施の形態を図面に基づいて説明する。
【００１４】
まず、図１は、本発明の実施形態による携帯端末機のデータ伝送および出力装置の構成図で、図２は、図１に示したデータ伝送および出力装置の詳細構成図である。
【００１５】
図１において、音声信号発生部１０は、一般の携帯端末機に備わった送話部を示し、前記音声信号発生部１０は、使用者の音声を電気的な音声信号に変換し、ノイズ除去および信号増幅して出力する。
【００１６】
信号発生部２０は、通話中に入力されたキー信号に対応する低周波信号を発生して出力する。ここで、低周波信号は、３００Ｈｚ以下の信号を示しており、この低周波信号の限界上限値は、選択的に可変される。
【００１７】
また、前記信号発生部２０は、図２に示すように、キー信号を発生するためのキーパッド２２と、発生したキー信号に対応する低周波信号の発振を制御する低周波発振制御部２４と、この低周波発振制御部２４によって相異なる周波数を発振するための低周波信号発振部２６と、を含む。
【００１８】
参考として、前記低周波発振制御部２４は、後述するデータ出力制御部７４と一つの制御モジュールによって集積化される。この低周波発振制御部２４は、端末機の動作モードが“通話中のデータ伝送モード”に設定された状態で、キー信号入力によって低周波信号の発生を制御する。キー信号入力によって低周波信号の発生を制御するために、下記の表に示すように、前記低周波発振制御部２４の内部メモリには、各キー入力に対応する低周波信号の周波数がマッピングされている。
【００１９】
【表１】
2006033817.tif 000003
【００２０】
前記表１に示すように、各キーには、相異なる周波数と出力データとがマッピングされている。前記表１において、“アバターイメージデータｎ”および“オーディオ出力データ”は、端末機の諸元を遠隔制御するための出力データの形態であって、特殊キーにそれぞれマッピングされている。しかしながら、端末機上におけるキーの数が制限されるため、特殊キーを使用するよりは、メニューを通して端末機の諸元を制御するためのキーを割り当てることが好ましい。また、約定されたキー組み合せの入力時、相異なる周波数を連続的に発生することで、一つの出力データを伝送した効果を得るとともに、相異なる周波数をミキシングして伝送することで、一つの出力データを伝送した効果を得ることができる。
【００２１】
一方、信号合成部３０は、前記音声信号発生部１０および信号発生部２０からそれぞれ発生した音声信号と低周波信号とを合成して出力し、無線通信部４０は、信号合成部３０から出力される前記合成信号を通話チャネルを通して無線送出する役割をする。この無線通信部４０は、既に知られたように、前記合成信号を無線伝送するための信号に変調するデータ変調部と、この変調された信号を周波数アップしてアンテナを通して無線送出するＲＦ部と、を含む。さらに、前記無線通信部４０は、ＲＦ部を通して受信される無線信号の周波数をダウンコンバートしてデータを復調処理するデータ復調部を含む。
【００２２】
一方、信号分離部５０は、前記無線通信部４０で信号処理されて復調された受信信号から低周波信号を分離して出力する。
【００２３】
前記信号分離部５０は、受信信号から３００Ｈｚ以下の低周波信号を抽出するためのローパスフィルタのみを採用し、前記信号分離部５０の他の実施形態では、前記受信信号から３００Ｈｚ以上の音声信号のみを抽出するためのＨＰＦと、前記受信信号から３００Ｈｚ以下の低周波信号のみを抽出するためのＬＰＦと、を共に採用する。
【００２４】
また、データ出力部７０は、前記信号分離部５０から分離された低周波信号の周波数を検出し、その検出周波数が指示するデータをメモリ７６から読み取って出力する。
【００２５】
このデータ出力部７０は、図２に示すように、分離された低周波信号の周波数を検出するための周波数検出部７２と、検出された低周波信号の各周波数が指示するデータを保存するメモリ７６と、を含む。また、前記メモリ７６には、前記表１のようなテーブルデータが保存される。このメモリ７６は、場合によって、前記低周波発振制御部２４に備わる内部メモリと統合されて運営される。
【００２６】
さらに、前記データ出力部７０は、データ出力制御部７４を含むが、このデータ出力制御部７４は、前記周波数検出部７２で検出された周波数が指示する出力データを前記メモリ７６から読み取って、表示部７８あるいはオーディオ出力部(図示せず)などを通して出力する。
【００２７】
また、音声信号送出部６０は、前記信号分離部５０から分離された音声信号を可聴音に変換して出力する役割をする。
【００２８】
さらに、上記した構成の他にも、本発明の実施形態による携帯端末機は、既に広用されている発信者情報検出部を含むことができる。この場合、前記データ出力制御部７４は、前記発信者情報検出部で検出された発信者情報にマッピングされるアバターイメージデータをメモリ７６から読み取って表示出力し、周波数検出部７２で検出された周波数の指示にしたがって、その表示されたアバターイメージデータを可変(泣く表情、明るい表情など)することもできる。
【００２９】
以下、上述した構成の携帯端末機において、通話中に所定のデータを通話相手方の端末機に伝送し、その通話相手方の端末機から受けたデータを出力するまでの過程を説明する。
【００３０】
図３は、本発明の実施形態によるデータ伝送のフローチャートで、図４は、図３に示した方法によって伝送されたデータを受信して出力するまでのデータ出力のフローチャートである。
【００３１】
図３に示すように、まず、携帯端末機の使用者は、通話中に通話相手方の端末機に情報を伝送するか、または、通話相手方から情報の伝送を受けるために、端末機のモードを“通話中のデータ伝送モード”に設定(９０段階)する。
【００３２】
このように、通話中のデータ伝送モードが設定された状態で、両者間の通話が行われると(９２段階)、低周波発振制御部２４は、キーパッドを通して低周波信号を発生するためのキー入力があるかどうかを検査(９４段階)する。
【００３３】
検査の結果、キー入力があると、低周波発振制御部２４は、そのキー入力データを表示部７８上に表示(９６段階)して９８段階に進行し、キーパッド２２を通して低周波信号の伝送要請があるかどうかを検査する。通常、一連の数字あるいは文字が集まって一つの情報となるため、低周波発振制御部２４は、使用者がキー入力するごとにそのキーデータを表示部７８上に表示する。例えば、携帯端末機の使用者が入力した文字列は、“curitel.com”であると仮定する。
【００３４】
一連の文字列“curitel.com”の入力が終了すると、使用者は、約定されたキーを通して前記入力が終了した文字列の伝送を要請(９８段階)する。すると、低周波発振制御部２４は、入力文字列(“curitel.com”)に対応する周波数の発振が行われるように、低周波発振制御信号を出力(１００段階)する。この低周波発振制御信号により、低周波信号発振部２６では、３００Ｈｚ以下の低周波信号が発生して信号合成部３０に印加される。
【００３５】
これによって、信号合成部３０では、前記低周波信号発振部２６から発生した３００Ｈｚ以下の低周波信号と、音声信号発生部１０から出力された３００Ｈｚ以上の音声信号と、を合成して無線通信部４０に印加することで、一連の文字情報が含まれた音声信号は、無線通信部４０で変調および周波数アップコンバートされ、通話チャネルを通して無線伝送される。
【００３６】
以下、前記通話チャネルを通して音声信号と一緒に伝送された低周波信号を処理してデータを出力する過程を、図４に基づいて説明する。前記低周波信号を受けて出力する通話相手方の端末機も、“通話中のデータ伝送モード”が設定(１１０段階)された状態であり、現在、通話中(１１２段階)の状態である。この通話状態では、まず、無線通信部４０で信号処理された受信信号が信号分離部５０に入力される。
【００３７】
この場合、３００Ｈｚ以下の低周波信号と３００Ｈｚ以上の音声信号とが合成された受信信号は、信号分離部５０のＬＰＦおよびＨＰＦによって３００Ｈｚ以下の低周波信号と３００Ｈｚ以上の音声信号とにそれぞれ分離され、データ出力部７０および音声信号送出部６０に入力される。したがって、通話相手方の音声信号は、音声信号送出部６０を通して可聴音に変換されて出力される。
【００３８】
一方、データ出力部７０の周波数検出部７２は、信号分離部５０で分離されて印加される低周波信号の周波数を検出(１１４段階)する。周波数の検出方法として、印加される低周波信号のピーク対ピーク周期をカウントすることで、該当する低周波信号の周波数を計算することができる。このように計算された低周波信号の周波数は、検出周波数としてデータ出力制御部７４に印加される。
【００３９】
すると、データ出力制御部７４は、前記周波数検出部７２で検出された周波数が指示するデータをメモリ７６から読み取り、これを表示部７８を通して出力（１１６段階）する。
【００４０】
これによって、携帯端末機の使用者は、通話相手方が音声通話を行いながら自身に伝送した情報が“curitel.com”であることを知るようになり、これを自身の端末機に保存して後で用いる。
【００４１】
以上説明した本発明の実施形態によると、通話中に入力されたキー信号に対応する低周波信号を音声信号と一緒に通話チャネルを通して通話相手方の端末機に伝送し、その通話相手方の端末機側では、受信信号から分離された低周波信号が指示する文字データを出力することで、発音あるいは聴取上の問題によって発生する情報伝達における問題を解決できる。また、音声通話中に文字情報を伝送することで、秘密を要する情報が第３者に露出されることを予め予防できる。
【００４２】
上述した本発明の実施形態は、文字データ伝送を仮定して説明したが、格別な変形なしに、通話相手方の端末機の諸元を制御するための制御データと音声信号とを一緒に通話チャネルを通して伝送することもできる。このような制御データにより、受信側端末機のオーディオ出力(ベル音、通話音量など)が調整される。
【００４３】
以下、データ伝送を通して通話相手方の端末機に表示されるアバターイメージを可変する本発明の他の実施形態を説明する。
【００４４】
まず、一つの応用プログラムとして、携帯端末機は、発信者によって相異なるアバターを表示する。すなわち、通話が頻繁な相手方の端末機番号に一つのアバターをマッピングしておき、その相手方から呼び出しがあれば、それにマッピングされたアバターをメモリから読み取って表示部上に表示する。
【００４５】
その後、その呼び出しに応答して相手方と通話する途中、相手方の端末機から表示アバターのイメージを可変するための低周波信号が受信されると、その低周波信号の周波数によって現在の表示アバターのイメージを変更することができる。アバターイメージを変更する方法としては、単純に同一のアバターに対する顔イメージ(笑う顔、泣く顔、しかめた顔など)を変更する方法と、３次元アバターを導入して立体感のあるアバターの動作に可変する方法と、がある。これら方法は、携帯端末機の性能を考慮して選択すべきである。
【００４６】
本発明の第２実施形態によると、通話相手方の端末機に表示されるアバターイメージを通話チャネルを通して遠隔制御することで、現在の自身の気分状態を通話相手方に暗示し、別途のサーバー支援がなくても、アバターイメージを遠隔制御するという新しいコンテンツ概念を導入することで、端末機の消費創出を誘導できるという効果がある。
【００４７】
参考に、本発明の各実施形態には言及されてないが、低周波信号を発振するためのキーを入力するとき、それに対応する出力データを表示部に表示することで、使用者自身によって、伝送しようとするデータが正しく入力されたかどうかを確認できる方法が好ましい。
【図面の簡単な説明】
【００４８】
【図１】本発明の実施形態による携帯端末機のデータ伝送および出力装置の構成図である。
【図２】図１に示したデータ伝送および出力装置の詳細構成図である。
【図３】本発明の実施形態によるデータ伝送のフローチャートである。
【図４】図３に示した方法によって伝送されたデータを受信して出力するまでのデータ出力のフローチャートである。
【符号の説明】
【００４９】
１０  音声信号発生部
２０  信号発生部
３０  信号合成部
４０  無線通信部
５０  信号分離部
６０  音声信号送出部
７０  データ出力部
【図１】
2006033817.tif 000004
【図２】
2006033817.tif 000005
【図３】
2006033817.tif 000006
【図４】
2006033817.tif 000007